(57)【要約】【課題】組み立ての難易度を高めつつ比較的設計が容易である。【解決手段】組み立て体１００において、ブロック部材１１〜１８に関して、２つの表面がＮ極であり残りの表面がＳ極である基本パターンＰ１と、Ｎ極及びＳ極が逆転した基本パターンＰ２とを交互に割り当て、展開図を作成する。そして、組み立て体１００において最も外部に露出する表面に「×」マークを付する。【選択図】図３
2011194110.tif 000002
【特許請求の範囲】
【請求項１】
立方体を画定する６つの表面を有する複数のブロック部材を有し、前記ブロック部材の表面同士を着脱可能に吸着させる磁石が前記ブロック部材に設けられた玩具であって、
前記複数のブロック部材のそれぞれにおける６つの表面の少なくとも１つが、前記磁石によるＮ極及びＳ極のいずれかの吸着面であり、
前記複数のブロック部材のそれぞれにおける６つの表面のうち、互いに反対側に配置された第１の表面及び第２の表面に含まれる前記吸着面を第１の吸着面とし、前記６つの表面のうち、前記第１及び第２の表面以外の第３〜第６の表面に含まれる前記吸着面を第２の吸着面とするとき、（ａ）前記第１の吸着面がＮ極となり前記第２の吸着面がＳ極となる第１のブロック部材と、（ｂ）前記第１の吸着面がＳ極となり前記第２の吸着面がＮ極となる第２のブロック部材とから前記複数のブロック部材が構成されており、
前記第１のブロック部材と前記第２のブロック部材とが交互に配列されつつ前記吸着面同士が互いに吸着させられた場合に、前記複数のブロック部材の全てが一体となった組み立て体に組み立てられることを特徴とする玩具。
【請求項２】
前記組み立て体において前記吸着面のいずれも他のいずれかの前記吸着面と吸着した状態となることを特徴とする請求項１に記載の玩具。
【請求項３】
立方体を画定する６つの表面を有し、そのうちの少なくとも１つが磁石によるＮ極及びＳ極のいずれかの吸着面である複数のブロック部材を有し、前記吸着面同士を吸着させると前記複数のブロック部材の全てが一体となった組み立て体に組み立てられる玩具の設計方法であって、
前記６つの表面のうち、４つの表面が一列に配列されると共にそのうちの前記吸着面がＮ極に分類され、残りの２つの表面のうちの前記吸着面がＳ極に分類される展開図又はこれと同じ構成の前記ブロック部材に対応する展開図と、この展開図とはＮ極及びＳ極の分類が反対となる展開図とを作成することを特徴とする玩具の設計方法。
【請求項４】
前記組み立て体において最も外側に露出する表面とそれ以外の表面とに前記ブロック部材の各表面が分類されるように、前記展開図を作成することを特徴とする請求項３に記載の玩具の設計方法。
【請求項５】
Ｎ極及びＳ極の配置、前記最も露出する表面か否かの分類、表面の形状、表面の模様、並びに、表面の色彩の少なくともいずれか２つ以上を組み合わせたパターンを、２つの前記ブロック部材において互いに異ならせるように玩具を設計することを特徴とする請求項４に記載の玩具の設計方法。
【発明の詳細な説明】
【技術分野】
【０００１】
本発明は、複数のブロック部材を一体の組み立て体に組み立てる玩具及びその設計方法に関する。
【背景技術】
【０００２】
複数のブロック部材の表面同士を着脱可能とし、これらのブロック部材を組み立てて、一つの大きな立体形状を有する組み立て体とする玩具がある。この玩具において、ブロック部材の表面同士を吸着させるため、ブロック部材の各面に磁石を設けることが考えられる。この場合、ブロック部材同士を吸着させて上記の組み立て体を構成できるように、どのブロック部材のどの表面をＮ極とし、あるいはＳ極とするかを適切に調整する必要がある。
【０００３】
例えば、各ブロック部材が立方体の場合、全ての表面がＮ極であるブロック部材と全ての表面がＳ極であるブロック部材とを用意し、これら２種類のブロック部材を交互に配列して組み立て体を構成することも考えられる。しかし、この構成では、２種類のブロック部材同士ではどの面を向かい合わせても互いに吸着可能である。したがって、組み立て体を組み立てる難易度が比較的低い。
【０００４】
これに対して特許文献１では、各ブロック部材においてＮ極の表面及びＳ極の表面が混在していると共に、Ｎ極及びＳ極の配置方法がブロック部材ごとに違っている。したがって、例えばいずれかのブロック部材において異なる面を吸着させようとすると、適切に組み立てることができなくなる場合が生じる。つまり、組み立て体を構成可能なブロック部材同士の位置関係に関する場合の数が限定されている。これにより、組み立て体を組み立てる難易度が、上述の場合に比べて高い。
【先行技術文献】
【特許文献】
【０００５】
【特許文献１】実開昭５７−１５４４８７号公報（第５図〜第１１図）
【発明の概要】
【発明が解決しようとする課題】
【０００６】
しかしながら特許文献１の構成では、Ｎ極及びＳ極の配置が不規則過ぎる。したがって、組み立て体を組み立てることができるようにＮ極及びＳ極を配置する設計が容易でない。
【０００７】
本発明の目的は、比較的設計が容易な玩具及びその設計方法を提供することにある。
【課題を解決するための手段及び発明の効果】
【０００８】
本発明の玩具は、表面同士を吸着させる磁石が設けられた複数のブロック部材を有している。これら複数のブロック部材は、各ブロック部材における６つの表面のうち、互いに反対側に配置された第１の表面及び第２の表面に含まれる吸着面を第１の吸着面とし、６つの表面のうち、第１及び第２の表面以外の第３〜第６の表面に含まれる吸着面を第２の吸着面とするとき、（ａ）前記第１の吸着面がＮ極となり前記第２の吸着面がＳ極となる第１のブロック部材と、（ｂ）前記第１の吸着面がＳ極となり前記第２の吸着面がＮ極となる第２のブロック部材とから構成されている。そして、第１のブロック部材と第２のブロック部材が交互に配列されることで組み立て体が組み立てられる。
【０００９】
本発明の玩具によると、第１の吸着面と第２の吸着面とが互いに反対の極になっている。つまり、各ブロック部材においてＮ極とＳ極が混在している。したがって、ブロック部材の向きを適切に配置しなければ組み立てられず、組み立てのバリエーションが限定される。また、Ｎ極及びＳ極の基本配置が互いに反対である第１のブロック部材と第２のブロック部材とにより組み立て可能に構成されているので、設計が容易である。
【００１０】
また、本発明の別の観点では、本発明は玩具の設計方法であって、ブロック部材の６つの表面のうち、４つの表面が一列に配列されると共にＮ極に分類され、残りの２つの表面がＳ極に分類される展開図又はこれと同じ構成の前記ブロック部材に対応する展開図と、この展開図とは表面同士の配置関係が同じでＮ極及びＳ極の分類が反対となる展開図とを作成するものである。
【００１１】
上記別の観点によると、容易に作成可能な２種類の展開図により、玩具を設計することができる。
【００１２】
なお、本発明において「立方体を画定する６つの表面を有するブロック部材」は、立方体形状を有するブロック部材を含んでいるが、完全な立方体でなくてもよく、例えば立方体の角が斜めに切り落とされた立体形状を有していてもよいことを示している。要は、６つの表面の延長面によって立方体が画定されるものであればよい。
【図面の簡単な説明】
【００１３】
【図１】図１（ａ）は本発明の一実施形態の玩具の構成要素であるブロック部材の一例の斜視図である。図１（ｂ）は、ブロック部材の縦断面の一例である。図１（ｃ）はブロック部材に埋め込まれる磁石の斜視図である。
【図２】図２（ａ）は、８つのブロック部材を立方体に組み立てた実施例１の斜視図である。図２（ｂ）は、図２（ａ）の組み立て体全体の展開図である。
【図３】実施例１を設計する際に作成する展開図その他の図である。
【図４】図４（ａ）は、２７個のブロック部材を立方体に組み立てた実施例２の斜視図である。図４（ｂ）は、図４（ａ）の組み立て体全体の展開図である。
【図５】実施例２を設計する際に作成する展開図その他の図である。
【図６】実施例３及び４における組み立て体の斜視図及びブロック部材の展開図である。
【図７】変形例に関する展開図、ブロック部材の斜視図、及び、組み立て体の斜視図である。
【発明を実施するための形態】
【００１４】
以下、本発明の好適な実施形態について図面を参照しつつ説明する。
【００１５】
本実施形態に係る玩具は、図１（ａ）に示す立方体のブロック部材１を複数有している。ブロック部材１の本体は木製であるが、樹脂材料や金属材料から構成されてもよい。ブロック部材１の中には、図１（ｂ）に示すように少なくとも１つの表面に凹部１ａが形成されている。凹部１ａには円板形状の磁石２がはめ込まれており、その外側から木製の薄い板３がブロック部材１の本体に貼り合わされている。板３は、ブロック部材１の最も外側の表面を構成する部材であり、正方形の平坦な表面を有している。また、板３にはブロック部材１の本体と同じ材質の木材が用いられており、ブロック部材１の表面が違和感のない模様となるように作製されている。具体的には、図１（ａ）に示すブロック部材１の表面３ａは、それぞれの面の木目が異なるため、全体として違和感のないよう、その面に合った木目の板を貼り付けている。ブロック部材１において磁石２が設置されていない表面は、ブロック部材１の本体がそのまま露出している。本体が直接露出した表面も、その他の面との木目の配置関係が違和感のないように調整されている。磁石２はフェライト磁石などの永久磁石である。図１（ｃ）に示すように、円板の一方の面がＮ極であり、他方の面がＳ極である。ブロック部材１の表面に磁石２が設置されることにより、その表面が他のブロック部材１において磁石２が設けられた表面に吸着する吸着面となる。
【００１６】
（実施例１）
図２は、８つのブロック部材１を互いに吸着させて一体に組み立てることで、一つの大きな立方体の組み立て体１００を形成した実施例１を示している。実施例１では、１つ１つのブロック部材１の表面に絵柄が形成されており、組み立て体１００を完成させた際、ブロック部材１の各表面に形成された絵柄が繋がって、図２（ａ）に示すように、１つの大きな絵柄が形成される。図２（ｂ）は図２（ａ）の展開図である。図２（ｂ）において最も小さい正方形がブロック部材１の１つの表面に対応している。各ブロック部材１の表面には円形の絵柄が形成されている。この円形の絵柄は、複数のブロック部材１に跨ったり単一のブロック部材１に形成されたりしており、８つのブロック部材１が適切に組み立てられた場合に、全体として６面さいころと同じ模様が形成されるようになっている。
【００１７】
ところで、ブロック部材１同士は磁石２による吸着力で吸着する。ブロック部材１の各表面には、図１（ａ）及び図１（ｃ）に示すように、磁石２の一方の極が面する。したがって、ブロック部材１の各吸着面はＮ極かＳ極のいずれかとなるので、互いに異なる極の吸着面同士は吸着するが、同極の吸着面同士は反発する。このため、図２（ａ）の組み立て体１００を組み立て可能にするためには、組み立て体１００において互いに向かい合うこととなる吸着面同士が同極にならないように、各表面に磁石２を適切に配置しなければならない。
【００１８】
このために最も簡単な方法は、６つの表面の全てがＮ極となるブロック部材１と６つの表面の全てがＳ極となるブロック部材１とを作製することである。この場合、前者のブロック部材１と後者のブロック部材１とを交互に配列すれば、隣り合うブロック部材同士を吸着させることができる。しかし、前者のブロック部材１と後者のブロック部材１とはどの面で吸着させても互いに吸着可能である。したがって、ブロック部材１の向きを変えても組み立てることができるので、組み立て体を組み立てる難易度が比較的低い。一方で、組み立ての難易度を上げるため、ブロック部材１の各面に不規則にＮ極及びＳ極を配置することも考えられる。しかし、Ｎ極及びＳ極の配置を不規則にすると、組み立て体を組み立てることができるようにこれらの極を配置するための設計や製造が困難になるおそれがある。
【００１９】
そこで本実施形態では、以下のようにブロック部材を設計することとしている。図３（ａ）は組み立て体１００の各ブロック部材１を区別して示したものである。これらのブロック部材１１〜１８は、いずれも基本構造が図１に示す構造と同様であるが、どの表面に磁石２がどのように配置されているかが互いに異なっているものを含んでいる。図３（ｂ）は、ブロック部材１１〜１８における磁石２の配置に関する基本パターンを示すブロック部材の展開図である。図３（ｂ）において各正方形はブロック部材の各表面を示している。正方形の中に記載された「Ｎ」「Ｓ」は、各表面がＮ極に分類されていること、あるいはＳ極に分類されていることを示している。また、図３（ｃ）は、図３（ｂ）のいずれの正方形がブロック部材のいずれの表面に対応するかを示している。図３（ｃ）に示す”上下前後左右”の各文字は、図３（ａ）の”上下前後左右”の矢印が示す方向に面した各表面に対応している。
【００２０】
図３（ｂ）に示すように、ブロック部材１１〜１８は、基本パターンＰ１及びＰ２の２種類に従って磁石が配置されている。基本パターンＰ１は、互いに反対側に配置された２つの表面９１（第１及び第２の表面）がＮ極に分類されており、その他の４つの表面９２（第３〜第６の表面）がＳ極に分類されている。つまり、基本パターンＰ１は、表面９１と表面９２とが互いに異なる極となっている。そして、上下方向、前後方向及び左右方向のそれぞれに関して、互いに反対側に配置された２つの表面同士が同極となっている。一方、基本パターンＰ２は、基本パターンＰ１に対してＮ極及びＳ極の配置を逆転させたものに相当する。
【００２１】
ブロック部材１１〜１８は、基本パターンＰ１と基本パターンＰ２とを上下方向、前後方向及び左右方向のそれぞれに交互に割り当てたものに従って磁石２が配置されている。具体的には、ブロック部材１１、１３、１６及び１８（第１のブロック部材）は基本パターンＰ１が割り当てられ、ブロック部材１２、１４、１５及び１７（第２のブロック部材）は基本パターンＰ２が割り当てられる。このように、基本パターンＰ１と基本パターンＰ２とが各方向に交互に割り当てられると、ちょうどブロック部材が互いに吸着可能となる配置になる。これは、各基本パターンにおいて互いに反対側に配置された２つの表面同士が同極であり且つ基本パターンＰ１と基本パターンＰ２とではＮ極及びＳ極が逆転しているので、隣り合う２つの異なる基本パターン同士では、向かい合った表面同士が必ず異なる極となるためである。
【００２２】
さらに、ブロック部材１１〜１８は、組み立て体１００において最も外側に配置される表面には磁石２が配置されないように構成されている。つまり、磁石２が配置された吸着面はいずれも、組み立て体１００において内側に配置され、必ずとなりのブロック部材の吸着面と向かい合うように配置されている。
【００２３】
本実施形態によれば、このようにブロック部材１１〜１８を設計するために、図３（ｄ）に示すように、ブロック部材１１〜１８に対応する展開図２１〜２８を作成する。まず、ブロック部材１１、１３、１６及び１８に対応する展開図２１、２３、２６及び２８は基本パターンＰ１に基づき作成する。ブロック部材１２、１４、１５及び１７に対応する展開図２２、２４、２５及び２７は基本パターンＰ２に基づき作成する。そして、各展開図において、対応するブロック部材の組み立て体１００における配置（図３（ａ））を参照しながら、最も外部に露出することとなる表面に対応する正方形に「×」マークを記載する。これによって各正方形が、組み立て体１００において最も外側に露出する表面を示すものとそれ以外の表面を示すものとに分類される。これらの分類を示す表示の態様は「×」マークに限らず、視覚的な表示であればどのようなものでもよい。
【００２４】
例えば、ブロック部材１１は組み立て体１００において、後、左及び上の各表面が外部に露出する。これに従い、基本パターンＰ１に対して、後、左及び上の各表面に対応する正方形に「×」マークを付したものが、展開図２１となる。これにより、展開図２１において基本パターンＰ１の表面９１に対応する正方形９３のうち、一方の正方形はＮ極の吸着面（第１の吸着面）を示すのに対し、他方の正方形は「×」マークが付され、吸着面を示さない。また、展開図２１において基本パターンＰ１の表面９２に対応する正方形９４のうち、２つの正方形がＳ極の吸着面（第２の吸着面）を示すのに対し、残り２つの正方形は「×」マークが付され、吸着面を示さない。また、ブロック部材１７は組み立て体１００において、左、前及び下の各表面が外部に露出する。これに従い、基本パターンＰ２に対して、左、前及び下の各表面に対応する正方形に「×」マークを付したものが、展開図２７となる。このようにして、ブロック部材１１〜１８に対応する展開図２１〜２８を図３（ｄ）のように作成することができる。展開図２１〜２８が示すように、実施例１ではいずれのブロック部材も、６つの表面のうちの３つが吸着面となり、残りの３つが吸着面とならない。３つの吸着面のうちの２つが同極の吸着面となり、残りの１つに対して異なる極となる。
【００２５】
以上のように、本実施形態では、基本パターンＰ１において表面９１に含まれる吸着面は全てＮ極となり、表面９２に含まれる吸着面は全てＳ極となる。このように、１つのブロック部材においてＮ極の吸着面とＳ極の吸着面とが混在するため、ブロック部材の向きを適切に配置しなければ組み立て体１００を組み立てられない。これによって、組み立て可能な方法のバリエーションが限定され、組み立ての難易度が高くなっている。例えば、基本パターンＰ１を上下方向に沿った軸周りに９０°回転させると、前後左右の各面のＮ極とＳ極とが反転する。このため、例えばブロック部材１１を上下方向に沿った軸周りに９０°回転させると、ブロック部材１１が組み立て体１００におけるその他のブロック部材とうまく吸着しなくなる。基本パターンＰ１とはＮ極とＳ極の配置が逆転する基本パターンＰ２に関しても同様である。
【００２６】
また、本実施形態では、組み立て体１００において最も外側に配置される表面には磁石２が設置されていない。これによって、組み立て可能な方法のバリエーションがさらに限定され、組み立ての難易度が高くなっている。例えば、基本パターンＰ１及びＰ２のいずれも、前後方向に沿った軸周りに９０°回転しても同じパターンとなる。つまり、基本パターンのみで見れば、各ブロック部材を前後方向に沿った軸周りに９０°回転しても元のＮ極及びＳ極の配置と一致する。しかし、展開図における「×」マークの配置も考慮した場合、各ブロック部材を前後方向に沿った軸周りに９０°回転すると、Ｎ極とＳ極の配置が一致しなくなる。つまり、各ブロック部材を前後方向に沿った軸周りに９０°回転すると吸着面以外の面が他のブロック部材に向き合うため、組み立て体１００を組み立てることができなくなる。このように、組み立て可能な方法のバリエーションが限定されている。
【００２７】
このように本実施形態によると、Ｎ極とＳ極の配置が互いに逆転した基本パターンＰ１及びＰ２を交互に割り当てるという簡単な方法により、組み立てのバリエーションが限定された玩具を容易に設計することができる。具体的な展開図も、基本パターンＰ１及びＰ２を交互に配列するという規則的な方法で作成できる上に基本パターンＰ１及びＰ２自体が簡単な配置図である。このため、Ｎ極とＳ極を不規則に配置する場合と比べて、玩具を設計することもその設計に基づいてブロック部材を作製することも容易になる。また本実施形態では、組み立て体において外部に露出する表面とそれ以外の表面とを展開図上で分類するという簡易な方法により、組み立て可能な方法のバリエーションをより限定することができている。
【００２８】
さらに、本実施例１では、組み立て体１００において６面さいころと同じ模様が各表面に表れるように、各ブロック部材に絵柄が形成されている。この絵柄によっても組み立てのバリエーションが限定されている。例えば、ブロック部材１２及び１５は、互いに基本パターンＰ２に対応しており、展開図２２及び２５における「×」マークを考慮しても、これらのパターンだけでは互いに一致する。一方、図２（ｂ）において、正方形１ｘがブロック部材１２の表面に対応し、正方形１ｙがブロック部材１５の表面に対応している。これを見ると、表面の絵柄もさらに考慮した場合、どのように回転してもブロック部材１２及び１５が互いに一致しないことが分かる。つまり、ブロック部材１２とブロック部材１５との互いの位置を交換すると、これらのブロック部材をどのように回転させても、絵柄が完成しない。したがって、組み立てのバリエーションが絵柄によって限定される。
【００２９】
（実施例２）
図４は、２７個のブロック部材１から立方体の組み立て体２００を形成した実施例２を示している。実施例２でも、組み立て体２００において６面さいころと同じ模様が形成されるように、ブロック部材１の各表面に絵柄が形成されている。ただし、実施例２では実施例１と異なり、円形の絵柄が全て各表面の中央に形成されており、複数のブロック部材１に跨ったりはしていない。
【００３０】
図５（ａ）は組み立て体２００の各ブロック部材１を区別して示したものであり、図５（ｂ）〜図５（ｄ）は本実施形態に基づいて実施例２を設計する際に作成する展開図である。図５（ａ）においては、上下方向に３個、左右方向に３個配列した９個のブロック部材からなる３つの部分に組み立て体２００を分けて図示している。なお、図５（ａ）では絵柄の図示が省略されている。展開図６１〜６９はブロック部材３１〜３９に対応し、展開図７０〜７８はブロック部材４０〜４８に対応し、展開図７９〜８７はブロック部材４９〜５７に対応している。
【００３１】
実施例２においても、まず、（１）基本パターンＰ１と基本パターンＰ２とを各方向に交互に割り当てる。これにより、基本パターンＰ１がブロック部材３１、３３、３５、…、５５及び５７に割り当てられる。また、基本パターンＰ２がブロック部材３２、３４、３６、…、５４及び５６に割り当てられる。さらに、（２）組み立て体２００において最も外側に配置される表面に相当する正方形に「×」マークを付すことにより、展開図６１〜８７が作成されている。これにより、組み立て可能な方法のバリエーションを限定しつつ、容易に設計及び製造が可能な玩具となっている。
【００３２】
例えば、ブロック部材３３とブロック部材４１とは基本パターンが同じＰ１であるため、基本パターンだけで見ればＮ極及びＳ極の配置が一致する。しかし、展開図６３と展開図７１とを比較すると、「×」マークを考慮することにより、互いにＮ極及びＳ極の配置が一致しなくなる。したがって、実施例１と同様に、組み立て可能な方法のバリエーションが限定されている。
【００３３】
また、絵柄が形成されていることにより、組み立てのバリエーションが限定されていることも、実施例１と同様である。例えば、ブロック部材４９とブロック部材５７とは、それぞれ基本パターンＰ１に対応しており、展開図７９及び８７における「×」マークの配置を考慮しても、Ｎ極及びＳ極の配置が互いに一致する。一方、図４（ｂ）において、正方形１ｗがブロック部材４９の表面に対応し、正方形１ｚがブロック部材５７の表面に対応している。これを見ると、表面の絵柄もさらに考慮した場合、どのように回転してもブロック部材４９及び５７が互いに一致しないことが分かる。なお、実施例２では、展開図６１〜８７が示すように、６つの表面のうち、吸着面が３つとなるものから吸着面が６つ全てとなるものまで、いろいろなブロック部材が混在する。
【００３４】
（実施例３）
図６（ａ）は、４個のブロック部材３０１〜３０４から直方体の組み立て体３００を形成した実施例３を示している。実施例２では、組み立て体３００の上面に、複数のブロック部材に跨って葉の絵柄が形成されるように、ブロック部材の各上面に絵柄が形成されている。図６（ｂ）は、ブロック部材３０１〜３０４に対応して実施例１と同じ方法で作成された展開図３１１〜３１４を示している。実施例３のように比較的少ない数のブロック部材によって組み立て体が構成される場合には、なるべく各ブロック部材の表面に非対称な絵柄が形成されることが好ましい。これにより、例えばブロック部材３０１とブロック部材３０４とを交換すると、組み立て体３００と同じ形状の立体を組み立てられたとしても絵柄が完成しない。したがって、組み立てのバリエーションが限定される。
【００３５】
（実施例４）
図６（ｃ）は、９個のブロック部材４０１〜４０９から直方体の組み立て体４００を形成した実施例４を示している。実施例４では、組み立て体４００の上面に、複数のブロック部材に跨って鳥の絵柄が形成されるように、ブロック部材の各上面に絵柄が形成されている。図６（ｄ）は、実施例１と同じ方法でブロック部材４０１〜４０９に対応して作成された展開図４１１〜４１９を示している。実施例４においても実施例３と同様、各ブロック部材の表面に非対称な絵柄が形成されている。これにより、例えばブロック部材４０２とブロック部材４０８を交換すると、組み立て体４００と同じ形状の立体を組み立てられたとしても絵柄が完成しない。したがって、組み立てのバリエーションが限定される。
【００３６】
＜変形例＞
以上は、本発明の好適な実施形態についての説明であるが、本発明は上述の実施形態に限られるものではなく、課題を解決するための手段に記載された範囲の限りにおいて様々な変更が可能なものである。
【００３７】
例えば、上述の実施形態では、展開図を作成する際、図３（ｂ）に示す基本パターンＰ１と基本パターンＰ２とが使用されている。しかし、基本パターンＰ１や基本パターンＰ２と同等な展開図であれば、異なる配置の基本パターンが使用されてもよい。図７（ａ）や図７（ｂ）はその一例である。なお、図７（ａ）の基本パターンＰ３は、上下左右前後の各方向の表面との対応関係が、図３（ｂ）及び図３（ｃ）に示す対応関係と同じである。また、基本パターンＰ４は、上下左右前後の各方向の表面との対応関係が、例えば図７（ｃ）に示す対応関係になっている。
【００３８】
また、上述の実施例１〜４のいずれにおいても、各ブロック部材が立方体の形状を有していたが、これに限られない。例えば、ブロック部材が、図７（ｄ）に示すように、立方体の頂点付近がいずれも削り落とされた形状を有していてもよい。この場合でも、上述の実施形態と同様にブロック部材に磁石を設置することにより、図７（ｅ）に示すように複数のブロック部材から組み立て体を構成することができる玩具が実現する。この他、立方体の頂点ではなく、辺の付近が削り落とされたものや、８つの頂点全てではなく、そのうちの一部の頂点付近が削り落とされたものであってもよい。要は、立方体における６つの表面のそれぞれを一部でも有しており、それらの表面から立方体が画定されるような形状を有していればよい。
【００３９】
また、上述の実施形態では円盤状の磁石２が用いられているが、矩形の平板状の磁石が用いられてもよいし、棒状の磁石が用いられてもよい。また、各実施例においてはブロック部材の表面に絵柄が形成されているが、各表面に色分けが施されていてもよい。この場合は例えば、図２（ｂ）に示す展開図において、組み立て体１００の６つの表面のそれぞれが６色に色分けられるように各ブロック部材に色分けが施されていてもよい。また、絵柄や色分けのみならず、表面の形状自体が互いに異なっていてもよい。また、各実施例では組み立て体として立方体や直方体を組み立てる場合が示されているが、このような多面体に限らず、組み立て体としてあらゆる立体が採用され得る。例えば、星型の立体であったり、動物や乗り物型の立体であったりしてもよい。
【００４０】
また、上述の実施形態では、基本パターンＰ１及びＰ２に対応する展開図を作成した後に、磁石２が配置されない表面を示す「×」マークを各正方形に付している。したがって、完成した展開図においては、いずれの正方形にも「Ｎ」又は「Ｓ」が配置されている。しかし、磁石２が配置されない表面を示す「×」マークを各正方形に付した後に、「×」マークが付されていない正方形のみに、基本パターンＰ１及びＰ２に基づいて「Ｎ」及び「Ｓ」を配置してもよい。
【符号の説明】
【００４１】
Ｐ１〜Ｐ４  基本パターン
１、１１〜１８、３１〜５７、３０１〜３０４，４０１〜４０９  ブロック部材
２  磁石
２１〜２８、６１〜８７、３１１〜３１４、４１１〜４１９  展開図
１００、２００、３００、４００  組み立て体
【図１】
2011194110.tif 000003
【図２】
2011194110.tif 000004
【図３】
2011194110.tif 000005
【図４】
2011194110.tif 000006
【図５】
2011194110.tif 000007
【図６】
2011194110.tif 000008
【図７】
2011194110.tif 000009